(57)【特許請求の範囲】
【請求項１】
レーザ光源からのレーザ光をミラーの反射角を変えて皮膚上で走査する走査光学系を持つハンドピースと、レーザ光の照射領域のサイズを入力するサイズ入力手段とを備え、入力された照射領域に基づいて前記走査光学系によりレーザ光を皮膚上で走査して照射するレーザ治療装置において、異なる焦点距離を持つ集光レンズであって、前記ハンドピースが持つ前記走査光学系よりレーザ出射端側の位置に切換え配置される集光レンズと、ハンドピースと皮膚に接触する接触面との距離を所期する距離に保持するウィンドウユニットであって、前記集光レンズの焦点距離の違いに対応してハンドピースからの距離が異なる接触面を持ち、前記ハンドピースに交換可能に取り付けられるウィンドウユニットと、ハンドピースに取り付けられたウィンドウユニットの種類を検出するウィンドウユニット検出手段と、前記ウィンドウユニット検出手段の検出結果に基づいて前記サイズ入力手段により入力可能な照射領域の範囲を制限する制限手段と、を備えることを特徴とするレーザ治療装置。
【請求項２】
レーザ光源からのレーザ光をミラーの反射角を変えて皮膚上で走査する走査光学系を持つハンドピースと、レーザ光の照射領域のサイズを入力するサイズ入力手段とを備え、入力された照射領域に基づいて前記走査光学系によりレーザ光を皮膚上で走査して照射するレーザ治療装置において、レーザ光源から前記走査光学系に導光されるレーザ光の光路に配置され、皮膚上で走査されるレーザ光を所定のスポットサイズの平行光束にするコリメートレンズと、前記ハンドピースと皮膚に接触する接触面との距離を所期する距離に保持するウィンドウユニットであって、ハンドピースからの距離が異なる接触面を持ち、前記ハンドピースに交換可能に取り付けられるウィンドウユニットと、ハンドピースに取り付けられたウィンドウユニットの種類を検出するウィンドウユニット検出手段と、前記ウィンドウユニット検出手段の検出結果に基づいて前記サイズ入力手段により入力可能な照射領域の範囲を制限する制限手段と、前記サイズ入力手段により入力された照射領域及び前記ウィンドウユニット検出手段により検出されたウィンドウユニットの種類から求められる照射面までの距離に基づいて前記走査光学系のミラーの駆動を制御する制御手段と、を備えることを特徴とするレーザ治療装置。
【発明の詳細な説明】
【０００１】
【発明の属する技術分野】
本発明は、治療レーザ光を患部に照射してレーザ治療を行うレーザ治療装置に関する。
【０００２】
【従来技術】
皮膚科で使用されるレーザ装置、例えば、脱毛用や血管腫用のレーザ装置ではレーザ光の照射にハンドピースが使用されている。このハンドピースにはレーザ光を患部上で走査するための走査機構が組み込まれたものがあり、走査機構としてはガルバノメータ等によって軸回りに回動するミラーを使用するものが一般的である。
【０００３】
治療領域が広い場合は、ハンドピースを少しづつずらして照射を繰り返し、治療領域を全て覆うように治療を行っている。
【０００４】
【発明が解決しようとする課題】
上記のようなレーザ光を走査すれば、ある程度広い領域へのレーザ照射が可能であるが、走査領域の拡大化には十分でなかった。平行にされたレーザ光をそのままミラーの回動で走査する場合、ミラーの回転角（振れ角）を大きくして領域の拡大化を図ると、患部へのレーザ光の入射角が大きくなり、レーザ光の光学的な誤差が大きくなることで、均一な治療効果が期待できない。また、集光レンズを介して照射面にレーザ光を集光させるタイプにおいても、ミラーの振れ角には限界があった。
【０００５】
本発明は、上記従来技術を鑑み、レーザ走査による照射領域の拡大化を図ることが可能なレーザ治療装置を提供することを技術課題とする。
【０００６】
【課題を解決するための手段】
上記課題を解決するために、本発明は以下のような構成を備えることを特徴とする。
【０００７】
（１）  レーザ光源からのレーザ光をミラーの反射角を変えて皮膚上で走査する走査光学系を持つハンドピースと、レーザ光の照射領域のサイズを入力するサイズ入力手段とを備え、入力された照射領域に基づいて前記走査光学系によりレーザ光を皮膚上で走査して照射するレーザ治療装置において、異なる焦点距離を持つ集光レンズであって、前記ハンドピースが持つ前記走査光学系よりレーザ出射端側の位置に切換え配置される集光レンズと、ハンドピースと皮膚に接触する接触面との距離を所期する距離に保持するウィンドウユニットであって、前記集光レンズの焦点距離の違いに対応してハンドピースからの距離が異なる接触面を持ち、前記ハンドピースに交換可能に取り付けられるウィンドウユニットと、ハンドピースに取り付けられたウィンドウユニットの種類を検出するウィンドウユニット検出手段と、前記ウィンドウユニット検出手段の検出結果に基づいて前記サイズ入力手段により入力可能な照射領域の範囲を制限する制限手段と、を備えることを特徴とする。
（２）  レーザ光源からのレーザ光をミラーの反射角を変えて皮膚上で走査する走査光学系を持つハンドピースと、レーザ光の照射領域のサイズを入力するサイズ入力手段とを備え、入力された照射領域に基づいて前記走査光学系によりレーザ光を皮膚上で走査して照射するレーザ治療装置において、レーザ光源から前記走査光学系に導光されるレーザ光の光路に配置され、皮膚上で走査されるレーザ光を所定のスポットサイズの平行光束にするコリメートレンズと、前記ハンドピースと皮膚に接触する接触面との距離を所期する距離に保持するウィンドウユニットであって、ハンドピースからの距離が異なる接触面を持ち、前記ハンドピースに交換可能に取り付けられるウィンドウユニットと、ハンドピースに取り付けられたウィンドウユニットの種類を検出するウィンドウユニット検出手段と、前記ウィンドウユニット検出手段の検出結果に基づいて前記サイズ入力手段により入力可能な照射領域の範囲を制限する制限手段と、前記サイズ入力手段により入力された照射領域及び前記ウィンドウユニット検出手段により検出されたウィンドウユニットの種類から求められる照射面までの距離に基づいて前記走査光学系のミラーの駆動を制御する制御手段と、を備えることを特徴とする。
【００１４】
【発明の実施の形態】
以下、本発明の実施形態を図面に基づいて説明する。図１は脱毛治療等に使用されるレーザ治療装置の外観略図であり、図２は光学系及び制御系の概略構成を示す図である。
【００１５】
レーザ装置本体１の正面には大型のＬＣＤパネル２が設けられており、ＬＣＤパネル２には各種設定条件が表示されるとともに、ＬＣＤパネル２上に表示される操作キーに触れることで各種の設定が可能なタッチパネルとなっている。レーザ装置本体１の上部からはレーザ光を照射するハンドピース２０まで通信ケーブル３とレーザ光を導光するためのファイバケーブル４が伸延している。
【００１６】
５はハンドピース２０側に供給する冷却水を冷却して循環させるためのチラーである。チラー５から伸びている２本の冷却チューブ７は、前述の通信ケーブル３とファイバケーブル４と束ねられ、集中ケーブル８に一本にまとめられている。９はレーザー照射のトリガとなるフットスイッチである。
【００１７】
図２において、１０はパルスの治療用レーザ光を出射するレーザ光源部であり、レーザ光源部１０は多数の半導体レーザを有する。各半導体レーザを出射したレーザ光はそれぞれに対応して配置されたレンズ１２ａにより各ファイバ１３ａの端面にそれぞれ集光されて入射する。各ファイバ１３ａは出射端面側で束ねられており、各半導体レーザから出射されたレーザ光はファイバ出射側でまとめられ、高出力のレーザ光として治療に利用される。本実施形態では治療用レーザ光に８００〜８２０ｎｍの波長の近赤外光を利用している。
【００１８】
また、エイミング（照準）光源１１から出射するエイミング光は、集光レンズ１２ｂにより集光され、ファイバ１３ｂに入射する。ファイバ１３ｂの出射側端面はファイバ１３ａの出射側端面と共に束ねられており、エイミング光はファイバ１３ｂを出射後、治療用レーザ光と同様の光路を進行する。本実施形態ではエイミング光束には６２０〜６５０ｎｍの波長の赤色可視光を利用している。
【００１９】
束ねられた各ファイバ１３ａ,１３ｂの出射端面から出射するレーザ光（治療用レーザ光及びエイミング光）は、集光レンズ群１４により集光され、ファイバケーブル４に入射する。ファイバケーブル４はハンドピース２０に接続されており、レーザ光はハンドピース２０に導光される。なお、各ファイバ１３ａ,１３ｂの出射端面と集光レンズ群１４との間の光路には、必要に応じてレーザ光を遮断するためのシャッタ１７が挿入される。シャッタ１７は駆動部１８により駆動される。
【００２０】
ハンドピース２０のスキャナヘッド２０ａには、第一ミラー２３，第二ミラー２４をそれぞれ回転させる第一ガルバノメータ２３ａ，第二ガルバノメータ２４ａが設けられており、第一ミラー２３，第二ミラー２４を駆動して回動させることで、ＸＹ方向の各々にレーザ光の照射位置を移動（揺動）させ、広範囲に渡って治療用レーザ光を走査することができる。ファイバケーブル４からスキャナヘッド２０ａ内に入射したレーザ光は、ミラー２１により光軸を曲げられ、コリメータレンズ２２により平行光束にされた後、第一ミラー２３，第二ミラー２４でＸＹ方向に振られる。
【００２１】
図３は、ハンドピース２０の下方部の構成を説明する拡大図である。スキャナヘッド２０ａのレーザ出射端側に設けられた筒状の装着部２５には、異なる焦点距離のレンズをそれぞれ持つレンズユニット１００，１１０，１２０（図４参照）が、選択的に交換可能に取り付けられる。装着部２５の内径部分には雌ネジ２６が形成されており、これと各レンズユニット１００〜１２０に形成された雄ネジがねじ込まれるようになっている。
【００２２】
レンズユニット１００〜１２０の構成を図４に示す。レンズユニット１００のレンズホルダ１０１には、短い焦点距離ｆ１の集光レンズ１０２が取り付けられている。レンズユニット１１０のレンズホルダ１１１には、中間の焦点距離ｆ２（ｆ１より長い焦点距離）の集光レンズ１１２が取り付けられている。レンズユニット１２０のレンズホルダ１２１には、長い焦点距離ｆ３（ｆ２よりさらに長い焦点距離）の集光レンズ１２２が取り付けられている。なお、各レンズホルダにおいて、１０５，１１５，１２５は装着部２５の雌ネジ２６にねじ込む雄ネジ部である。
【００２３】
また、各レンズホルダ１０１，１１１，１２１は、フランジ上面からレンズホルダ上端面までの上部筒長さがそれぞれ異なる長さＬ１〜Ｌ３（Ｌ１＞Ｌ２＞Ｌ３）に形成されている。この上部筒長さＬ１〜Ｌ３がレンズホルダの種類を識別する識別子とされる。一方、図３に示すように、スキャナヘッド２０ａの装着部２５には、何れのレンズユニットが装着されているかを検出するための３個のスイッチ８１，８３，８４が、下から順に異なる高さ位置に設けられている。レンズユニット１００，１１０，１２０の取付けの有無は、各レンズホルダ１０１，１１１，１２１に形成されたフランジの上面が当接するスイッチ８１により検出される。
【００２４】
短い焦点距離のレンズユニット１００が装着部２５に取り付けられている場合、レンズホルダ１０１の上部筒長さＬ１によって、スイッチ８３，８４がＯＮとなる。中間の焦点距離のレンズユニット１１０が装着部２５に取り付けられている場合、レンズホルダ１１１の上部筒長さＬ２がＬ１より短いため、スイッチ８４がＯＦＦ、スイッチ８３がＯＮとなる。同様に、長い焦点距離のレンズユニット１２０の場合、スイッチ８３，８４がＯＦＦとなる。各スイッチ８１，８３，８４がＯＮになったときの信号は制御部１５に入力され、制御部１５は入力されたスイッチ信号のＯＮ／ＯＦＦ状態によって、何れのレンズユニット１００，１１０，１２０が取付けられているか、すなわち何れの焦点距離のレンズが配置されたかを判別する。また、装着の有無も判別できる。
【００２５】
また、各レンズユニットが取り付けられたとき、レーザ走査光学系のミラー２３，２４は各集光レンズ１０２，１１２，１２２の焦点距離より短い距離に位置する。
【００２６】
図３において、スキャナヘッド２０ａの下方にはスキャナ支基２６が固定されており、スキャナ支基２６には、熱伝導性の良いアルミ製のウィンドウ取付板２７が側面側（図３紙面垂直方向）からネジ止めされている。２８は電子熱交換器であるペルチェ素子である。ペルチェ素子２８は、アルミ製の冷却板２９とウィンドウ取付板２７にはさまれる格好で取付けられており、ウィンドウ取付板２７側が吸熱側（冷却側）となり、冷却板２９側が放熱側となるように電流が流される。冷却板２９の内部には冷却水が循環する流路が形成されており、チラー５で冷却された冷却水は冷却チューブ７を通って冷却板２９内を循環し、冷却板２９を介してペルチェ素子２８で放熱された熱を吸熱する。
【００２７】
３１はウィンドウ取付板２７の下端に取付けられた温度センサであり、温度センサ３１はウィンドウ取付板２７の温度を検知し、この温度検知に基づき制御部１５によってペルチェ素子２８の温度がコントロールされる。
【００２８】
ウィンドウ取付板２７には、図５に示すような照射面までの距離（走査光学系のミラー２４と照射面との離隔の長さ）及び患部との接触面サイズが異なるウインドウを持つウィンドウユニット（小）４０、ウィンドウユニット（中）５０、ウィンドウユニット（大）６０が、自在に交換可能に取り付けられる。レーザ照射時は各ウインドウの接触面を皮膚面に当接させて使用する。
【００２９】
図３では接触面が最も小さいウィンドウユニット（小）４０を図示している。ウィンドウユニット（小）４０は、皮膚に接触する熱伝導率の良い透明サファイアガラスの第１ウィンドウ４２、第１ウィンドウ４２より熱伝導率が劣る透明ガラスの第２ウィンドウ４４の２重構造になっており、側面形状が略Ｌ字状のウィンドウフレーム４１によって保持されている。この構造により、第一ウィンドウ４２の熱がウィンドウフレーム４１、ウィンドウ取付板２７、ペルチェ素子２８へと伝わり、吸熱される。第一ウィンドウ４２の温度を下げることにより、患者の皮膚を冷却することができる。
【００３０】
スキャナヘッド２０ａから出射したレーザ光はレンズユニット１００の集光レンズ１０２の焦点距離で集光するため、ウィンドウユニット（小）４０の第一ウィンドウ４２の下面がこの集光位置になる様にフレーム４１の上下方向の長さが設計されている。同様に、レンズユニット１１０の集光レンズ１１２の焦点位置と図５に示すウィンドウユニット（中）５０の図示なき第一ウィンドウの下面がほぼ合う様にフレーム５１の上下方向の長さが設計されている。同様に、レンズユニット１２０の集光レンズ１２２の焦点位置とウィンドウユニット（大）６０の図示なき第一ウィンドウの下面がほぼ合う様にフレーム６１の上下方向の長さが設計されている。
【００３１】
各ウィンドウユニット４０，５０，６０の取付け構造と、その種類を検出する構成について、図３、図５を基に説明する。
【００３２】
ウィンドウユニット（小）４０が持つフレーム４１の背板部４１ａの上部には、２つのＵ字形の長穴４７が形成されており、２つのネジ３２によってウィンドウ取付板２７と脱着可能とされている。同様に、ウィンドウユニット（中）５０が持つフレーム５１の背板部５１ａの上部、ウィンドウユニット（大）６０が持つフレーム６１の背板部６１ａの上部には、それぞれ２つのＵ字形の長穴５７、６７が形成されており、やはり、ネジ３２によってそれぞれウィンドウ取付板２７と脱着可能とされている。
【００３３】
ウィンドウ取付板２７には、ウィンドウサイズ検出用にスイッチ８６、８７が取付けられている。また、ウィンドウユニット（小）４０、ウィンドウユニット（中）５０、ウィンドウユニット（大）６０の取付部分の形状はそれぞれ異なっている。ウィンドウユニット（小）４０の背板部４１ａに形成された右肩部分４１ｃは、その左肩部分４１ｄに比べて長さ（高さ）が短く、ウィンドウ取付板２７に取付けた場合、スイッチ８６はＯＮ、スイッチ８７はＯＦＦとなる。ウィンドウユニット（中）５０の背板部５１ａに形成された左肩部分５１ｄは、その右肩部分５１ｃに比べて長さが短く、ウィンドウ取付板２７に取付けた場合、スイッチ８６はＯＦＦ、スイッチ８７はＯＮとなる。ウィンドウユニット（大）６０の背板部６１ａに形成された右肩部分６１ｃ、左肩部分６１ｄは共に長く、ウィンドウ取付板２７に取付けた場合、スイッチ８６，８７が共にＯＮとなる。この様に各ウインドウユニットが持つ背板部に形成された両肩部分の違いが、各ウインドウユニットを識別するための識別子とされ、スイッチ８６、８７のＯＮ，ＯＦＦの組み合わせの信号を制御部１５が受け、制御部１５で判断することによって、何れのウィンドウユニットが取付いているのかが検出される。
【００３４】
図２に示す制御部１５には、ＬＣＤパネル２、チラー５、チラー５からの冷却水が正常に循環しているかどうかを確認するフロースイッチ６、メモリ１６、フットスイッチ９が接続されている。また、ハンドピース２０側の温度センサ３１、ペルチェ素子２８、第一ガルバノメータ２３ａ、第二ガルバノメータ２４ａは通信ケーブル３を介して制御部１５に接続されている。
【００３５】
次に、レーザ照射領域の拡大化について図７を使用して説明する。図７（ａ）は、短い焦点距離ｆ１のレンズ１０２とウィンドウユニット（小）４０をスキャナヘッド２０ａに取り付けた状態を示す。図７（ｂ）は、中間の焦点距離ｆ２を持つレンズ１１２と、ウィンドウユニット（中）５０を取り付けた状態を示す。図７（ｃ）は、長い焦点距離ｆ３を持つレンズ１２２とウィンドウユニット（大）６０を取り付けた状態を示す。
【００３６】
いま、ミラー２４の回転によりそれぞれのレンズの光軸に対して同じ角度θだけレーザ光を振ったとする。このとき、レンズ１０２を取り付けた図７（ａ）では、ウィンドウユニット（小）４０の高さ距離における照射面でレーザ光が距離Ｄ１だけ離れた位置に集光して照射される。これに対して、中間の焦点距離ｆ２を持つレンズ１１２を取り付けた図７（ｂ）では、同じレーザ光の振り角度θで、Ｄ１より広い距離Ｄ２の位置にレーザ光が集光して照射されるようになる。さらに、焦点距離ｆ３を持つレンズ１２２を取り付けた図７（ｃ）では、振り角度θで、Ｄ２より広い距離Ｄ３の位置にレーザ光が集光して照射されるようになる。
【００３７】
このように、集光レンズを介したレーザ照射では、集光レンズの焦点距離を長くしたのに合わせて皮膚に当接する部材のウィンドウユニットの高さ距離を変えることにより、走査ミラーの振り角を大きくすることなく（レンズ径を大きくすることなく）、レーザ照射領域の拡大化を図ることが可能となる。
【００３８】
また、制御部１５は、集光レンズ１０２，１１２，１２２、ウィンドウユニット４０，５０，６０の変更に関係なく、第一ミラー２３，第二ミラー２４の最大の振れ角をほぼ一定に維持するように第一ガルバノメータ２３ａ、第二ガルバノメータ２４ａを制御する。
【００３９】
以上のような構成を有するレーザ治療装置において、レーザ照射時の動作を以下に説明する。
【００４０】
術者はレーザ照射部位の位置やその大きさに合せて、ウィンドウユニット４０，５０，６０から所望する大きさのものを選択しハンドピース２０が持つウィンドウ取付板２７に取り付ける。また、そのウィンドウユニットに合う焦点距離のレンズユニット１００，１１０，１２０を取り付ける。初めにレンズユニット１００、ウィンドウユニット（小）４０をハンドピース２０に取り付けて使用するものとする。
【００４１】
レンズユニット１００を取付けると、スイッチ８１，８３，８４が全てＯＮである信号が制御部１５に送られ、制御部１５によりレンズユニット１００が取付けてあると判断される。また、ウィンドウユニット（小）４０を取付けると、スイッチ８６がＯＮ、スイッチ８７がＯＦＦである信号が制御部１５に送られ、制御部１５によりウィンドウユニットが小であると判断される。レンズユニットの情報は、図６に示すＬＣＤパネル２における表示画面上の表示部２１２に表示され、ウィンドウユニット（小）４０を取り付けたことの情報は表示部２１３に表示される。また、スポットサイズは、レンズユニットによって決定され、表示部２００に表示される。
【００４２】
また、術者はＬＣＤパネル２に表示されている設定用キーを操作することで他の照射条件を設定する。数値の入力はＵＰボタン２０２とＤＯＷＮボタン２０３によって数値を増減させて入力する。レーザ照射のエネルギー密度はＦＬＵＥＮＣＥの表示部２０５で、レーザの出力は表示部２０６で、パルス照射時間は表示部２０７で設定する。このとき、３つの照射条件の内の２つを設定すれば、残りの条件は自動的に決定されたスポットサイズとの関係で、制御部１５により計算されて決定される。レーザ照射時にはこれらの照射条件にしたがってレーザ光源部１０の駆動が制御される。
【００４３】
走査パターン形状については表示部２１０に表示される。ボタン２１１を押すと、走査パターン形状を変更できる。走査パターン形状はメモリ１６に予め記憶されたものから選択でき、円形パターン、正方形パターン、長方形パターン、ラインパターン等が用意されている。また、スキャンサイズは、オプションボタン２１５を押してスキャンサイズ設定画面を開くことで設定でき、設定されたサイズは表示部２０１に表示される。この時、設定できる照射可能範囲は、ミラー２３，２４の振れ角の最大を略一定とし、ウィンドウユニットの種類の検出結果によって定められる。
【００４４】
術者は装置本体１側の準備を整えた後、ハンドピース２０を手で保持して第一ウィンドウ４２を患部上に当接させる。スキャンヘッド２０ａからは光源１１によるエイミング光が照射され、そのエイミング光は選択した走査パターン形状に従って第一ミラー２３，第二ミラー２４の駆動により繰返し走査される。術者はウィンドウ４２，４４を通して観察される患部とエイミング光の照射位置を確認しながら、目的とする患部に合うように第一ウィンドウ４２の当接位置を調整する。
【００４５】
術者はエイミング光の観察による照射部位の位置合わせやレーザ出力等の設定が完了したら、スイッチ９９を押して装置をＲＥＡＤＹ状態にする。制御部１５はフットスイッチ９からのトリガ信号が入力されると、第一ガルバノメータ２３ａ，第二ガルバノメータ２４ａを駆動制御してレーザ光源部１０からのレーザ光を走査し、選択された走査領域の治療部位にレーザ光を照射する。
【００４６】
また、レーザ照射時には図示なきスイッチによって冷却機構を作動させる。ペルチェ素子２８及びチラー５を駆動させることにより第一ウィンドウ４２が冷却され、第一ウィンドウ４２に接触している患部が冷やされる。
【００４７】
スキャニングによる照射領域を変更する場合は以下の様に行う。まず、術者はＬＣＤパネル２上のＲＥＰＬＡＣＥボタン２１４を押す。ＲＥＰＬＡＣＥボタン２１４が押されると、制御部１５はシャッター１７を光路上に挿入し、誤ってレーザ光が照射されることを防止する。例えば、照射領域を拡大するために、術者が現在ついているウィンドウユニット（小）４０を外し、ウィンドウユニット（大）６０を取付けたとする。ウィンドウユニット（大）６０を取付けると、スイッチ８６，８７共にＯＮという信号が制御部１５に送られ、制御部１５によりウィンドウユニットが大であると判断される。制御部１５はＬＣＤパネル２上の表示部２１３にウィンドウユニットがＬＡＲＧＥであることを表示する。また、レンズユニット１００を外し、ウィンドウユニット（大）６０の照射距離に合った焦点距離の長いレンズユニット１２０を取付ける。レンズホルダ１２１が奥までねじ込まれると、スイッチ８１がＯＮ、スイッチ８３、８４がＯＦＦである信号が制御部１５に送られ、制御部１５によりレンズユニットが焦点距離の長いレンズユニット１２０であると判断される。制御部１５はＬＣＤパネル２上の表示部２１２にレンズユニットがＬＯＮＧであることを表示する。
【００４８】
レンズユニットとウィンドウユニットの対応が合っていない場合は、患部に焦点が合わない状態となってしまうので、ＬＣＤパネル２上の表示部２１２及び表示部２１３を点滅させる。例えば、ウィンドウユニット（大）６０にかえて、レンズユニット１００の交換が忘れられていたら、表示部２１２及び表示部２１３が点滅する。同時に、制御部１５はシャッタ１７を光路に挿入してレーザ光の照射を禁止する。
【００４９】
制御部１５は、レンズユニット１２０に変更されたためレーザ照射条件の演算をし直す。レンズユニットを変更するとその集光レンズの焦点距離に応じてスポット径は変化する。患部に同じ治療効果を得る目的でレーザ照射密度を保つため、パルス照射時間あるいはレーザ出力を変更する様プログラムされている。パルス照射時間あるいはレーザ出力のどちらが制御部１５によって変更されるかは、予め術前に選択できる様になっている。例えば、レンズユニット１２０に変更したことにより、スポット径がφ３ｍｍからφ６ｍｍに変わったとすると、面積比が４倍になるので、レーザ出力がスポット径φ３ｍｍの時の４倍に設定される。
【００５０】
レンズユニットの取換えが完了したら、術者は再度ＲＥＰＬＡＣＥボタン２１４を押し、シャッター１７を開き、レーザ照射可能な状態とする。そして、術者は、実際に照射しようとする広いスキャンサイズの設定を表示部２０１で行う。スキャンサイズの入力は、変更されたウィンドウサイズ内におさまる様に制限されるが、ウィンドウサイズが大きいものになっていれば、当然スキャンサイズも大きくすることができる。
【００５１】
術者はエイミング光の観察による照射部位の位置合わせや設定が完了したら、スイッチ９９を押して装置をＲＥＡＤＹ状態にする。制御部１５はフットスイッチ９からのトリガ信号が入力されると、第一ガルバノメータ２３ａ，第二ガルバノメータ２４ａを駆動制御してレーザ光源部１０からのレーザ光を走査し、拡大された走査領域の治療部位にレーザ光を照射する。
【００５２】
図８は他の実施形態を説明する図であり、先の実施形態と同一の要素には同符号を付して、その説明は省略する。図８において、１５０は集光レンズ、１５１はコリメートレンズ、１５２は保護ガラスである。ファイバ４から出射したレーザ光は集光レンズ１５０、ミラー２１を経た後、コリメートレンズ１５１によって所定の径（例えば４ｍｍの径）の平行光束とされる。平行光束とされたレーザ光は、ミラー２３，２４によってＸＹ方向に走査され、そのまま保護ガラス１５２を通過してウィンドウユニット４０（叉は５０，６０）に接触する皮膚面に照射される。
【００５３】
この走査光学系における照射領域の拡大について、図９を使用して説明する。図９（ａ）はウィンドウユニット（小）４０を、図９（ｂ）はウィンドウユニット（中）５０を、図９（ｃ）はウィンドウユニット（大）６０を、それぞれスキャナヘッド２０ａに取り付けた状態を示す。
【００５４】
いま、ミラー２４の回転によりそれぞれ軸Ｌ01（ミラー２４の回転中心から各ウインドウの当接面に垂直に降ろした軸）に対して同じ角度θ′だけレーザ光を振ったとする。ウィンドウユニット（小）４０を取り付けた図９（ａ）の場合、照射面で軸Ｌ01から距離Ｄ１′の位置にレーザ光が照射される。これに対して、ウィンドウユニット（中）５０を取り付けた図９（ｂ）の場合、照射面でＤ１′より広い距離Ｄ２′の位置にレーザ光が照射されるようになる。さらに、ウィンドウユニット（大）６０を取り付けた図９（ｃ）の場合、照射面でＤ２′より広い距離Ｄ３′の位置にレーザ光が照射されるようになる。また、この走査光学系の場合、照射面でのレーザ光の入射角は同じであるので、照射範囲を拡大したことによる照射面での光学的誤差を大きくせずにすむ。
【００５５】
レーザ照射においては、制御部１５は、レーザ光のスポットサイズ、ウィンドウユニットの種類によって定まる走査用のミラー２３，２４から照射面までの離隔距離、及び照射領域（スキャン）サイズの入力に基づいて、ガルバノメータ２３ａ，２４ａの各ミラーの振れ角を制御する。例えば、ウィンドウユニット（小）４０からウィンドウユニット（大）６０に変更して離隔距離が変化したときには、スキャニングデータは隣合うスポットの隙間を埋めるように各ミラーの振れ角を制御する。
【００５６】
また、ウィンドウユニットの種類、すなわち照射面までの離隔距離の検出結果に基づいて、照射領域の入力可能な最大サイズが制限される。
【００５７】
【発明の効果】
以上説明したように、本発明によれば、レーザ走査の領域の拡大化を図ることができ、効率の良いレーザ治療を行える。
【図面の簡単な説明】
【図１】脱毛治療等に使用されるレーザ治療装置の外観略図である。
【図２】光学系及び制御系の要部構成の概略図である。
【図３】ハンドピースの下方部の構成を説明する拡大図である。
【図４】異なる焦点距離のレンズユニットの構成を示す図である。
【図５】異なる上下方向長さ及びウィンドウの大きさのウィンドウユニットの各形状及び取替え方法を示す図である。
【図６】ＬＣＤパネルの表示画面を示す図である。
【図７】レーザ照射領域の拡大化を説明する図である。
【図８】平行光束レーザ照射の光学系及び制御系の要部構成の概略図である。
【図９】平行光束レーザ照射のレーザ照射領域の拡大化を説明する図である。
【符号の説明】
１  レーザ装置本体
２  ＬＣＤパネル
４  ファイバケーブル
１５  制御部
２０  ハンドピース
２３  第一ミラー
２３ａ  第一ガルバノメータ
２４  第二ミラー
２４ａ  第二ガルバノメータ
４０  ウィンドウユニット（小）
５０  ウィンドウユニット（中）
６０  ウィンドウユニット（大）
８１，８３，８４  スイッチ
８６，８７  スイッチ
１００，１１０，１２０  レンズユニット
１５１  コリメートレンズ
【図１】
0003986256.tif 000002
【図２】
0003986256.tif 000003
【図３】
0003986256.tif 000004
【図４】
0003986256.tif 000005
【図５】
0003986256.tif 000006
【図６】
0003986256.tif 000007
【図７】
0003986256.tif 000008
【図８】
0003986256.tif 000009
【図９】
0003986256.tif 000010